(57)【要約】【課題】イチゴ等の果物をスプーンで潰して食べるときに、高齢者や握力の弱い人が手を汚すことなく、少しの力で容易に潰すことができるスプーン及び、市販のスプーンの柄部に装着して使用するスプーン把持具を提供する。【解決手段】皿底にイチゴ等の果物を潰すための押圧部を形成してなるスプーン皿部の後端に、傾斜を持った立ち上がり部と、この立ち上がり部の後端に下方に屈曲形成された差込部とからなる柄部を形成するスプーン本体と、該差込部を着脱可能に嵌合できる嵌合孔を形成した把持具とからなることを特徴とするスプーン及び、市販のスプーンの柄部を着脱可能に装着できる差込孔と、該柄部に固定するための固定手段を有することを特徴とするスプーン把持具。【選択図】  図１
2006198357.tif 000002
【特許請求の範囲】
【請求項１】
皿底にイチゴ等の果物を潰すための押圧部を形成してなるスプーン皿部の後端に、傾斜を持った立ち上がり部と、この立ち上がり部の後端に下方に屈曲形成された差込部とからなる柄部を形成するスプーン本体と、該差込部を着脱可能に嵌合できる嵌合孔を形成した把持具とからなることを特徴とするスプーン。
【請求項２】
市販のスプーンの柄部を着脱可能に装着できる差込孔と、該柄部に固定するための固定手段を有することを特徴とするスプーン把持具。
【発明の詳細な説明】
【技術分野】
【０００１】  本発明は、イチゴ等の果物をスプーンで潰して食べるときに、高齢者や握力の弱い人が手を汚すことなく、少しの力で容易に潰すことができるスプーン及び、市販のスプーンの柄部に装着して使用するスプーン把持具に関するものである。
【背景技術】
【０００２】  従来、スプーンの柄部を皿部の後端から指止部、指当部、把持部と屈曲形成して、テコの原理を利用することで少しの力でも果物等を潰すことができる発明が知られている。（特許文献１）
【特許文献１】実開昭５２−１１８１７８号
【発明の開示】
【発明が解決しようとする課題】
【０００３】  そのために次のような問題点があった。
（イ）スプーン皿部に対して柄の傾斜がゆるやかなため、握力が弱い高齢者、子供等にとってはテコの原理を余り活かすことができず、果物を潰すのに相当な力を必要としていた。
（ロ）小鉢などの底の深い食器を使用すると、スプーンの柄が当たってしまうので、浅い食器しか使用できなかった。
【課題を解決するための手段】
【０００４】  皿底にイチゴ等の果物を潰すための押圧部を形成してなるスプーン皿部の後端に、傾斜を持った立ち上がり部と、この立ち上がり部の後端に下方に屈曲形成された差込部とからなる柄部を形成するスプーン本体と、該差込部を着脱可能に嵌合できる嵌合孔を形成した把持具とからなる。以上を特徴とするスプーンである。【０００５】  市販のスプーンの柄部を着脱可能に装着できる差込孔と、該柄部に固定するための固定手段を有する。以上を特徴とするスプーン把持具である。
【発明の効果】
【０００６】  スプーン皿部の後端から立ち上がり部を設け、差込孔に嵌合する把持具の先端に親指の指止部を設けることで、果物等の対象物を最も力が掛け易い真上から押し潰すことができ、しかも親指の力と共に把持具全体の力を最も効率よくスプーン皿部に伝達することができる。
また、スプーン把持具においては、クサビや伸縮リングを用いることによって、市販のスプーンにも装着固定でき汎用的に使用できる。
【発明を実施するための最良の形態】
【０００７】  以下、本発明の実施の形態について説明する。
（イ）皿底にイチゴ等の果物を潰すための底板２ａを形成してなるスプーン皿部２の後端に、底板の水平面方向から約５０°〜７０°の範囲で傾斜した立ち上がり部３ａと、この立ち上がり部３ａの後端に、同じく底板の水平面方向から約２０°〜２５°の範囲で傾斜した差込部３ｂを屈曲形成した柄部３を形成するスプーン本体１を構成する。
なお、立ち上がり部の長さは４０ｍｍ、傾斜角度は６０°、差込部は２３°が最も適した角度である。
（ロ）差込部３ｂを着脱可能に嵌合できる嵌合孔５を内設した握り部４ａと、握り部４ａの後端には、握り部４ａから約２０°下方に傾斜した指掛部４ｂを屈曲形成した把持具４を構成する。
（ハ）把持具４の先端上部に溝部８を有する凸部７を形成し、後端面に凹凸面６ａを備えた押圧部６を形成する。
（ニ）差込部３ｂを把持具４の嵌合孔５に装着する。
本発明は以上のような構成で、これを使用するときは、親指の先端が指止の役割となる凸部７に当てたまま、残り４本の指で把持具４を握り、小鉢１１に入ったイチゴ等の果物をスプーンの底板２ａを利用して、上から親指で加圧しながら押しつぶす。
【実施例１】
【０００８】次に、本発明の実施例について説明する。
（イ）市販のスプーン１２の柄部１２ａを着脱可能に装着できる差込孔５ａを内設した握り部４ａと、握り部４ａの後端には、握り部４ａから約２０°下方に傾斜した指掛部４ｂを屈曲形成した把持具４を構成する。
（ロ）把持具４の先端上部に溝部８を有する凸部７を形成し、後端面に凹凸面６ａを備えた押圧部を形成する。
（ハ）Ｌ字型に形成され通し孔９ａを設け、伸縮リング１０が通し結びされたクサビ９を具備する。
本発明は以上のような構成で、これを使用するときは、図１０に示すように、市販のスプーン１２の柄部１２ａを差込孔５ａに差込み、差込孔５ａ入り口隙間にクサビ９を差込み、伸縮リング１０を溝部８に架け、さらに押圧部６に張架してスプーン１２を固定する。イチゴ等果物の潰し方については、上記本発明の実施の形態と同様のためここでは省略する。【０００９】  その他の潰し方として、図１１に示すように、把持具４を押圧部６が下になるように握り、果物に凹凸部６ａを加圧しながら潰す。このような方法は、スプーン本体１３のように、果物を潰すための押圧部を有していない場合有効である。
【図面の簡単な説明】
【００１０】
【図１】本発明の使用状態を示す図
【図２】本発明におけるスプーン本体の平面図
【図３】本発明におけるスプーン本体の正面図
【図４】本発明における把持具の平面図
【図５】本発明における把持具の断面図
【図６】本発明における把持具の左側面図
【図７】本発明における把持具の右側面図
【図８】本発明の実施例のクサビの斜視図
【図９】本発明の実施例のその他のスプーンの固定状態を示す図
【図１０】本発明の実施例のクサビを用いたスプーンの固定状態を示す図
【図１１】本発明の実施例の使用状態を示す図
【図１２】市販のいちご潰しスプーンの正面図
【図１３】市販のスプーンの正面図
【符号の説明】
【００１１】  １  スプーン本体
２  スプーン皿部
２ａ  底板
２ｂ  外縁
３  柄部
３ａ  立ち上がり部
３ｂ  差込部
４  把持具
４ａ  握り部
４ｂ  指掛部
５  嵌合孔
５ａ  差込孔
６  押圧部
６ａ  凹凸部
７  凸部
８  溝部
９  クサビ
９ａ  通し孔
１０  伸縮リング
１１  小鉢
１２  スプーン本体
１２ａ  柄部
１３  スプーン本体
１３ａ  柄部
【図１】
2006198357.tif 000003
【図２】
2006198357.tif 000004
【図３】
2006198357.tif 000005
【図４】
2006198357.tif 000006
【図５】
2006198357.tif 000007
【図６】
2006198357.tif 000008
【図７】
2006198357.tif 000009
【図８】
2006198357.tif 000010
【図９】
2006198357.tif 000011
【図１０】
2006198357.tif 000012
【図１１】
2006198357.tif 000013
【図１２】
2006198357.tif 000014
【図１３】
2006198357.tif 000015